(57)【要約】【課題】本発明は、簡易な構成で使用者の呼吸状態を容易に確認させ得る。【解決手段】本発明は、使用者１００の口及び鼻を覆う内部空間２Ａが設けられるように光透過性を有する部材で形成されて内部空間２Ａに対して外部から気体が入り込む吸気孔２Ｂと内部空間２Ａから外部に気体が排出される排気孔２Ｂが設けられる本体部２と、使用者１００に装着された状態において使用者１００の口及び鼻から排気孔２Ｃまでの呼気の流路上に配されて気体の流速に応じて見え方が変化するように回転する羽根車６とを有し、使用者１００の呼気が羽根車６に当たって流速に応じて見え方が変化するように回転するので、羽根車６の回転を外部から確認させるだけで使用者１００の呼吸状態を容易に確認させることができる。【選択図】図１
2014018404.tif 000002
【特許請求の範囲】
【請求項１】
使用者の口及び鼻を覆う空間が設けられるように光透過性を有する部材で形成され、前記空間に対して外部から気体が入り込む吸気孔と、該空間から外部に気体が排出される排気孔が設けられる本体部と、
前記使用者に装着された状態において、前記吸気孔から前記使用者の口及び鼻までの吸気の流路上、又は前記使用者の口及び鼻から前記排気孔までの呼気の流路上に配され回転する羽根車と
を有するマスク。
【請求項２】
前記羽根車は、気体の流速に応じて見え方が変化するものである
請求項１に記載のマスク。
【請求項３】
前記羽根車は、
前記使用者の口及び鼻から前記排気孔までの呼気の流路上であって、前期使用者の顔面に対して直交する方向に回転するように配される
請求項１に記載のマスク。
【請求項４】
前記羽根車は、
前記使用者の口及び鼻から前記排気孔までの呼気の流路上であって、前期使用者の顔面と並行な方向に回転するように配される
請求項１に記載のマスク。
【請求項５】
前記本体部は、
外部方向に延在するように筒形状に形成され、外部方向の先端に前記排気孔が設けられる排気管部を有し、
前記羽根車は、前記使用者の口及び鼻から前記排気孔までの呼気の流路上である前記排気管部により囲まれた空間内に配される
請求項１に記載のマスク。
【請求項６】
前記本体部は、
外部方向に延在するように筒形状に形成され、外部方向の先端に前記吸気孔が設けられる吸気管部を有し、
前記羽根車は、前記吸気孔から前記使用者の口及び鼻までの吸気の流路上である前記吸気管部により囲まれた空間内に配される
請求項１に記載のマスク。
【請求項７】
前記羽根車の回転を検出するセンサーと、
前記センサーにより検出される前記羽根車の回転に応じた信号に基づいて、前記本体部に設けられる照明部を点灯又は点滅させる演算回路と
を有する請求項１に記載のマスク。
【請求項８】
前記演算回路は、
前記センサーにより検出される前記羽根車の回転に応じた信号に基づいて前記使用者の呼吸数を算出し、該呼吸数に応じて前記照明部を点灯又は点滅させる
請求項７に記載のマスク。
【請求項９】
前記羽根車の回転を検出するセンサーと、
前記センサーにより検出される前記羽根車の回転に応じた信号に基づいて前記使用者の呼吸数を算出し、前記本体部に設けられる表示部に算出される呼吸数を表示させる演算回路と
を有する請求項１に記載のマスク。
【請求項１０】
前記演算回路は、算出される呼吸数が正常とされる呼吸数の範囲外である場合には警告を鳴動させる
請求項８又は９に記載のマスク。
【請求項１１】
前記本体部は、前記吸気孔から前記空間内に一定流量で酸素が供給され、
前記吸気孔から該空間に供給される酸素を前記空間内に拡散させる拡散板と
を有する請求項１に記載のマスク。
【請求項１２】
前記本体部は、前記吸気孔から前記空間内に一定流量で酸素が供給され、
前記空間内において前記排気孔及び前記羽根車を覆い、前期使用者の口及び鼻から前記排気孔までの呼気の流路上と、前記排気孔からの直線上に羽根車１１が配されないような位置とに孔を有する覆部
を有する請求項１に記載のマスク。
【発明の詳細な説明】
【技術分野】
【０００１】
本発明は、マスクに関し、使用者の呼吸を確認する場合に適用して好適なものである。
【背景技術】
【０００２】
手術後の患者や、意識が清明でない患者に対しては、生命維持のために酸素投与が必要なことが多い。しかし、そのような患者が酸素マスクを装着して酸素投与をされたとしても、患者自身が呼吸をしている必要がある。呼吸状態の観察は、患者の胸の動きを見ることが基本であるが、布団などで胸の動きが分りにくいことも多い。
【０００３】
近年、パルスオキシメーターやカプノグラムなど患者の酸素化や呼吸をモニタリングする手段は充実してきている。それらが患者に装着され正常に作動していれば患者の呼吸停止や呼吸数の極端な現状に伴う酸素化の低下は早期に発見できる。
【０００４】
しかし、パルスオキシメーターは、抹消の血流低下による生体内の酸素化ヘモグロビンを正確に反映できない場合がある。また、カプノメーターは、サイドストリーム方式であれば、酸素マスクにその吸引チューブを挿入することで患者の呼気炭酸ガスを検出できるが、これは標準的な使用方法とはいえない。
【０００５】
さらに、手術後における手術室から病室へのストレッチャーでの移動の際に、呼吸モニターが必要な場合には、それらのモニターの設置スペースの確保が必要となり、現実的には困難である。
【０００６】
ところで、酸素マスクには、ビニールバッグ酸素のリザーバーが装着されたものがある。この場合、リザーバーの膨張・収縮を視認することで、呼吸の状態を知ることが可能な場合がある。しかしながら、適正な酸素流量が設定されていない場合、すなわち過大流量ではリザーバーは膨張したままであり、過小流量ではリザーバーは膨張せず、呼吸の有無を観察することができない。
【０００７】
このような状況に鑑み、通気孔に弁状の作動薄紙を設け、この作動薄紙の動きを確認することで呼吸の有無の可視化を図るマスクが提案されている（特許文献１参照）。
【先行技術文献】
【特許文献】
【０００８】
【特許文献１】特開２００３−２６５６３５公報
【発明の概要】
【発明が解決しようとする課題】
【０００９】
しかしながら上述したマスクは、弁状の作動薄紙の動きを目視させるだけであり、薄紙の動きを注視していなければ、呼吸の有無を確認することが難しいといった問題があった。
【００１０】
本発明は以上の点を考慮してなされたものであり、簡易な構成で使用者の呼吸状態を容易に確認させ得るマスクを提案しようとするものである。
【課題を解決するための手段】
【００１１】
かかる課題を解決するため本発明においては、使用者の口及び鼻を覆う空間が設けられるように光透過性を有する部材で形成され、前記空間に対して外部から気体が入り込む吸気孔と、該空間から外部に気体が排出される排気孔が設けられる本体部と、前記使用者に装着された状態において、吸気孔から前記使用者の口及び鼻までの吸気の流路上、又は前記使用者の口及び鼻から前記排気孔までの呼気の流路上に配され回転する羽根車とを有する。
【００１２】
これにより、装着した使用者が呼吸することで、吸気又は呼気の流速に応じて見え方が変化するように羽根車が回転するので、外部から羽根車を視認させるだけで呼吸の有無や強弱等を確認させることができる。
また、気体の流速に応じて見え方が変化するように設定することにより、呼吸の有無や強弱の確認がより容易となる。
【発明の効果】
【００１３】
本発明によれば、装着した使用者が呼吸することで、吸気又は呼気の流速に応じて見え方が変化するように羽根車が回転するので、外部から羽根車を視認させるだけで呼吸の有無や強弱等を確認させることができ、かくして簡易な構成で使用者の呼吸状態を容易に確認させことができる。
【図面の簡単な説明】
【００１４】
【図１】第１の実施の形態におけるマスクの構成（１）を示す略線図である。
【図２】第１の実施の形態におけるマスクの構成（２）を示す略線図である。
【図３】第２の実施の形態におけるマスクの構成（１）を示す略線図である。
【図４】第２の実施の形態におけるマスクの構成（２）を示す略線図である。
【図５】第３の実施の形態におけるマスクの構成（１）を示す略線図である。
【図６】第３の実施の形態におけるマスクの構成（２）を示す略線図である。
【図７】第４の実施の形態におけるマスクの構成（１）を示す略線図である。
【図８】第４の実施の形態におけるマスクの構成（２）を示す略線図である。
【図９】第５の実施の形態におけるマスクの構成（１）を示す略線図である。
【図１０】第５の実施の形態におけるマスクの構成（２）を示す略線図である。
【図１１】演算回路の構成を示す略線図である。
【図１２】第６の実施の形態におけるマスクの構成（１）を示す略線図である。
【図１３】第６の実施の形態におけるマスクの構成（２）を示す略線図である。
【図１４】他の実施の形態におけるマスクの構成（１）を示す略線図である。
【図１５】他の実施の形態におけるマスクの構成（２）を示す略線図である。
【発明を実施するための最良の形態】
【００１５】
以下、図面を参照して、本発明の実施の形態を詳述する。
【００１６】
〔１．第１の実施の形態〕
図１及び図２に示すように、マスク１は、本体部２、固定用ヒモ３、酸素供給チューブ４、リザーバー５、羽根車６及び支持軸７を含む構成とされる。
【００１７】
本体部２は、光透過性を有する部材（例えば、透明なプラスチック材）により、内部に空間（以下、これを内部空間とも呼ぶ）２Ａを有するドーム状（お碗状）に形成される。本体部２は、使用者１００の口及び鼻を覆う程度に開口し、使用者１００に装着された際に開口が周方向に沿って使用者１００に当接すると共に、該使用者１００の口及び鼻を覆う。
【００１８】
また本体部２は、酸素供給チューブ４及びリザーバー５が接続されて酸素が内部空間２Ａ内に供給される吸気孔２Ｂが前面中央に設けられる。本体部２には、内部空間２Ａ側の面であって吸気孔２Ｂを覆うようにゴムシート状の一方向弁（図示せず）が設けられ、酸素供給チューブ４及びリザーバー５側から内部空間２Ａへ気体を通過させる一方、本体部２の内部空間から酸素供給チューブ４及びリザーバー５側へ気体を通過させない。
【００１９】
さらに本体部２は、吸気孔２Ｂの下方であって使用者１００に装着された際に該使用者１００の口と対向する位置に排気孔２Ｃが設けられる。本体部２には、外側（内部空間２Ａとは反対側）の面に排気孔２Ｃを覆うようにゴムシート状の一方向弁（図示せず）が設けられ、内部空間２Ａから外部へ気体を通過させる一方、外部から内部空間２Ａへ気体を通過させない。
【００２０】
固定用ヒモ３は、本体部２の左右両端に端部がそれぞれ接続され、マスク１が使用者１００に装着される際に該使用者１００の耳上から頭部を回すように掛け渡され、マスク１を使用者１００に対して固定する。
【００２１】
酸素供給チューブ４は、一端が本体部２の吸気孔２Ｂ及びリザーバー５に接続され、他端が一定流量の酸素を継続的に供給する酸素供給装置（図示せず）に接続される。
【００２２】
リザーバー５は、柔軟性を有する部材（例えば、ビニール等）で袋状に形成され、出入口が酸素供給チューブ４及び本体部２の吸気孔２Ｂに接続される。
【００２３】
羽根車６は、本体部２の内部空間２Ａ内であって、マスク１が使用者１００に装着された状態で、該使用者１００の口及び鼻から排気孔２Ｃまでの直線上、すなわち使用者１００から排出される呼気が通過する流路上に配される。
【００２４】
羽根車６は、本体部２の内部空間２Ａ内に、左右方向（呼気の流れに直交する方向）に渡って該本体部２に固定される支持軸７に回転可能に支持され、該支持軸７を中心として放射状に設けられる複数枚の羽根６Ａを有する。従って羽根車６は、使用者１００の顔面と直交する方向に沿って回転する。
【００２５】
羽根車６は、回転中の見え方により、呼気の流れが速いか遅いかを確認することが可能となるが、呼吸の有無や強弱をより容易に確認できるように、回転数に応じて見え方が変化するように、羽根６Ａにおける呼気の流れに直交する方向の面にベンハイムのコマのような白黒パターンの着色、隣接する羽根６Ａ間に互い違いの色の着色等が施されていてよい。
【００２６】
このような構成でなるマスク１は、使用者１００に装着され、酸素供給チューブ４を介して供給される酸素が一旦リザーバー５に溜まり、リザーバー５が膨らむ。そしてマスク１は、使用者１００が吸気することによりリザーバー５が萎みながら内部の酸素が吸気孔２Ｂを介して内部空間２Ａ内に入り、内部空間２Ａ内に引き込まれた酸素が使用者１００の鼻又は口から体内に入る。
【００２７】
また、マスク１は、使用者１００が呼気することにより、該使用者１００の鼻又は口から出される呼気が羽根車６の羽根６Ａに当たって該羽根車６を回転させながら、排気孔２Ｃから外部に排出される。
【００２８】
よってマスク１は、羽根車６の回転を確認させることにより、使用者１００の呼吸の有無を外部の人に容易に確認させることができる。またマスク１は、羽根車６の回転サイクルによって使用者１００の大よその呼吸数を確認させることができる。
【００２９】
またマスク１は、酸素供給装置から過大流量の酸素が供給されてリザーバー５が膨張したままの場合、酸素供給装置から過小流量の酸素しか供給されずにリザーバー５が膨張しない場合のように、リザーバー５の膨張・収縮で呼吸の有無を確認できない場合に特に有用である。
【００３０】
さらにマスク１は、羽根車６が呼気の流速により変化する回転数に応じて見え方も変化するので、使用者１００の呼吸の強弱も容易に確認させることができる。
【００３１】
このようにマスク１は、羽根車６の回転を外部から確認させるだけで使用者１００の呼吸状態を容易に確認させることができ、また羽根車６が使用者１００の呼吸の抵抗となることもない。
【００３２】
〔２．第２の実施の形態〕
図３及び図４に示すように、マスク１０は、本体部２、固定用ヒモ３、酸素供給チューブ４、リザーバー５、羽根車１１及び支持軸１２を含む構成とされる。マスク１０において本体部２、固定用ヒモ３、酸素供給チューブ４及びリザーバー５は、マスク１と同様に構成される。
【００３３】
羽根車１１は、本体部２の内部空間２Ａ内であって、マスク１が使用者１００に装着された状態で、該使用者１００の口及び鼻から排気孔２Ｃまでの直線上、すなわち使用者１００から排出される呼気が通過する経路上に配される。
【００３４】
羽根車１１は、呼気の流れに沿った方向に配されて本体部２に固定される支持軸１２に回転可能に支持され、該支持軸１２を中心として放射状に複数枚の羽根１１Ａを有する。従って羽根車１１は、使用者１００の顔面と並行する面に沿って回転する。
【００３５】
羽根車１１は、回転数に応じて見え方が変化するように、羽根１１Ａにおける使用者１００の顔面と並行する面にベンハイムのコマのような白黒パターンの着色、隣接する羽根１１Ａ間に互い違いの色の着色等が施される。
【００３６】
このような構成でなるマスク１０は、装着した使用者１００が呼気することにより、該使用者１００の鼻又は口から排出される呼気が羽根車１１に当たって該羽根車１１を回転させながら、排気孔２Ｃから外部に排気される。
【００３７】
よってマスク１０は、マスク１と同様に、羽根車１１の回転を外部から確認させるだけで使用者１００の呼吸状態を容易に確認させることができる。
【００３８】
〔３．第３の実施の形態〕
図５及び図６に示すように、マスク２０は、本体部２１、固定用ヒモ３、酸素供給チューブ４、リザーバー５、一方向弁２２、羽根車２３及び支持軸２４を含む構成とされる。マスク２０において固定用ヒモ３、酸素供給チューブ４及びリザーバー５は、マスク１と同様に構成される。
【００３９】
本体部２１は、光透過性を有する部材（例えば、透明なプラスチック材）によりドーム部２１Ａと排気管部２１Ｂが一体成形され、該ドーム部２１Ａに囲まれた内部空間２１Ｃａと排気管部２１Ｂに囲まれた内部空間２１Ｃｂとにより内部空間２１Ｃが形成される。
【００４０】
ドーム部２１Ａは、使用者１００の口及び鼻を覆う程度に開口し、使用者１００に装着された際に該開口が周方向に沿って使用者１００に当接すると共に該使用者１００の口及び鼻を覆うようにドーム状（お碗状）に形成される。排気管部２１Ｂは、ドーム部２１Ａの所定の位置から外部方向に延在するように筒形状に形成される。
【００４１】
また本体部２１は、ドーム部２１Ａに酸素供給チューブ４及びリザーバー５が接続されて酸素が内部空間２１Ｃａ内に供給される吸気孔２１Ｄが前面中央に設けられる。本体部２１には、内部空間２１Ｃａ側の面であって吸気孔２１Ｄを覆うようにゴムシート状の一方向弁（図示せず）が設けられ、酸素供給チューブ４及びリザーバー５側から内部空間２１Ｃａへ気体を通過させる一方、内部空間２１Ｃから酸素供給チューブ４及びリザーバー５側へ気体を通過させない。
【００４２】
さらに本体部２１は、排気管部２１Ｂにおける先端（ドーム部２１Ａと接続されていない端）に排気孔２１Ｅが設けられ、ドーム部２１Ａにおける排気管部２１Ｂとの接続口に内部空間２１Ｃａと内部空間２１Ｃａとを隔てる一方向弁２２が設けられる。
【００４３】
一方向弁２２は、内部空間２１Ｃａから内部空間２１Ｃｂへ気体を通過させる一方、内部空間２１Ｃｂから内部空間２１Ｃａへ気体を通過させない。
【００４４】
羽根車２３は、排気管部２１Ｂに囲まれた内部空間２１Ｃｂ内に、排気管部２１Ｂの管方向に直交する方向に沿って配される支持軸２４に回転可能に支持され、該支持軸２４を中心として放射状に設けられる複数枚の羽根２３Ａを有する。従って羽根車２３は、排気管部２１Ｂの管方向に沿って回転する。
【００４５】
羽根車２３は、回転数に応じて見え方が変化するように、羽根２３Ａにおける呼気の流れに直交する方向の面にベンハイムのコマのような白黒パターンの着色、隣接する羽根２３Ａ間に互い違いの着色等が施される。
【００４６】
このような構成でなるマスク２０は、装着した使用者１００が吸気することにより酸素が吸気孔２１Ｄを介して内部空間２１Ｃａ内に入り、内部空間２１Ｃａ内に引き込まれた酸素が使用者１００の鼻又は口から体内に入る。
【００４７】
また、マスク２０は、使用者１００が呼気することにより、該使用者１００の鼻又は口から排出される呼気が内部空間２１Ｃａ及び一方向弁２２を介して内部空間２１Ｃｂへ送出され、内部空間２１Ｃｂ内で羽根車２３に当たって該羽根車２３を回転させながら排気孔２１Ｅから外部に排気される。
【００４８】
よってマスク２０は、マスク１と同様に、羽根車２３の回転を外部から確認させるだけで使用者１００の呼吸状態を容易に確認させることができる。
【００４９】
また、マスク２０は、使用者１００の呼気が必ず排気管部２１Ｂ内の内部空間２１Ｃｂを通過して外部に排気されるので、マスク１及び１０と比較して使用者１００の呼吸状態をより正確に測定できる。
【００５０】
〔４．第４の実施の形態〕
図７及び図８に示すように、マスク３０は、本体部３１、固定用ヒモ３、酸素供給チューブ４、リザーバー５、一方向弁３２、羽根車３３及び支持軸３４を含む構成とされる。マスク３０において固定用ヒモ３、酸素供給チューブ４及びリザーバー５は、マスク１と同様に構成される。
【００５１】
本体部３１は、光透過性を有する部材（例えば、透明なプラスチック材）によりドーム部３１Ａと吸気管部３１Ｂが一体成形され、該ドーム部３１Ａに囲まれた内部空間３１Ｃａと吸気管部３１Ｂに囲まれた内部空間３１Ｃｂにより内部空間３１Ｃが形成される。
【００５２】
ドーム部３１Ａは、使用者１００の口及び鼻を覆う程度に開口し、使用者１００に装着された際に該開口が周方向に沿って使用者１００に当接すると共に該使用者１００の口及び鼻を覆うようにドーム状（お碗状）に形成される。
【００５３】
ドーム部３１Ａは、装着された際に使用者１００の口と対向する位置に排気孔３１Ｅが設けられる。ドーム部３１Ａには、外側であって排気孔３１Ｅを覆うようにゴムシート状の一方向弁（図示せず）が設けられ、内部空間３１Ｃａから外部へ気体を通過させる一方、外部から内部空間３１Ｃａへ気体を通過させない。
【００５４】
吸気管部３１Ｂは、ドーム部３１Ａの所定の位置から外部方向に延在するように筒形状に形成され、先端に設けられる吸気孔３１Ｄを介して酸素供給チューブ４及びリザーバー５が接続される。
【００５５】
本体部３１は、ドーム部３１Ａにおける吸気管部３１Ｂとの接続口に内部空間３１Ｃａと内部空間３１Ｃｂとを隔てる一方向弁３２が設けられる。
【００５６】
一方向弁３２は、内部空間３１Ｃｂから内部空間３１Ｃａへ気体を通過させる一方、内部空間３１Ｃａから内部空間３１Ｃｂへ気体を通過させない。
【００５７】
羽根車３３は、吸気管部３１Ｂに囲まれた内部空間３１Ｃｂ内に、吸気管部３１Ｂの管方向に直交する方向に沿って配される支持軸３４に回転可能に支持され、該支持軸３４を中心として放射状に設けられる複数枚の羽根３３Ａを有する。従って羽根車３３は、吸気管部３１Ｂの管方向に沿って回転する。
【００５８】
羽根車３３は、回転数に応じて見え方が変化するように、羽根３３Ａにおける呼気の流れに直交する方向の面にベンハイムのコマのような白黒パターンの着色、隣接する羽根３３Ａ間に互い違いの着色等が施される。
【００５９】
このような構成でなるマスク３０では、使用者１００が吸気することにより酸素が吸気孔３１Ｄを介して内部空間３１Ｃｂに入る。そしてマスク３０では、内部空間３１Ｃｂ内で羽根車３３に当たって該羽根車３３を回転させながら一方向弁３２を介して内部空間３１ａ内に入り、該内部空間３１ａ内に引き込まれた酸素が使用者１００の鼻又は口から体内に入る。
【００６０】
また、マスク３０では、使用者１００が呼気することにより、該使用者１００の鼻又は口から排出される呼気が内部空間３１Ｃａを介して排気孔３１Ｅから外部に排気される。
【００６１】
よってマスク３０は、マスク１と同様に、羽根車２３の回転を外部から確認させるだけで使用者１００の呼吸状態を容易に確認させることができる。
【００６２】
また、マスク３０は、使用者１００の吸気が必ず吸気管部３１Ｂ内の内部空間３１Ｃｂを通過して内部空間３１Ｃａに入るので、マスク１及び１０と比較して使用者１００の呼吸状態をより正確に測定できる。
【００６３】
〔５．第５の実施の形態〕
図９及び図１０に示すように、マスク４０は、本体部２、固定用ヒモ３、酸素供給チューブ４、リザーバー５、羽根車１１、支持軸１２、演算回路４１、センサー４２及びＬＥＤ４３を含む構成とされる。マスク４０において本体部２、固定用ヒモ３、酸素供給チューブ４、リザーバー５、羽根車１１及び支持軸１２は、マスク１０と同様に構成される。
【００６４】
演算回路４１は、本体部２における内部空間２Ａ側の面の下方に設けられる。演算回路４１は、図１１に示すように、ＣＰＵ４４、ＲＯＭ４５、ＲＡＭ４６、電池４７及びインターフェイス４８がバス４９を介して接続される。
【００６５】
ＣＰＵ４４は、ＲＯＭ４５に格納されるプログラムをＲＡＭ４６に展開して実行することにより各種処理を実行する。電池４７は、各部に電力を供給すると共に、インターフェイス４８を介して接続されるセンサー４２及びＬＥＤ４３に電力を供給する。
【００６６】
センサー４２は、例えばフォトセンサーが適応され、発光素子と受光素子との間に羽根車１１の羽根１１Ａが位置するように内部空間２Ａ内に配される。ＬＥＤ４３は、例えば本体部２の正面中央に配される。
【００６７】
このような構成でなるマスク４０は、ＣＰＵ４４が、センサー４２から供給される羽根１１Ａが通過することにより変化する信号を受信している場合にはＬＥＤ４３を点滅させ、センサー４２から信号を受信していない場合にはＬＥＤ４３を消灯させる。
【００６８】
これによりマスク４０は、使用者１００が呼気することにより羽根車１１を回転される際にＬＥＤ４３が点滅する。
【００６９】
よってマスク４０は、ＬＥＤ４３を確認させることにより、使用者１００の呼吸の有無を外部の人に容易に確認させることができる。このようにマスク４０は、ＬＥＤ４３を外部から確認させるだけで使用者１００の呼吸の有無を容易に確認させることができる。
【００７０】
〔６．第６の実施の形態〕
図１２及び図１３に示すように、マスク５０は、本体部２、固定用ヒモ３、酸素供給チューブ４、リザーバー５、羽根車１１、支持軸１２、演算回路４１、センサー４２及び表示部５１を含む構成とされる。マスク５０において本体部２、固定用ヒモ３、酸素供給チューブ４、リザーバー５、羽根車１１、支持軸１２、演算回路４１及びセンサー４２は、マスク４０と同様に構成される。
【００７１】
表示部５１は、液晶ディスプレイ、有機ＥＬディスプレイ等が適応され、例えば本体部２の正面中央に配される。
【００７２】
演算回路４１では、ＣＰＵ４４が、センサー４２から供給される羽根１１Ａが通過することにより変化する信号を受信して積分することにより例えば１分当たりの呼吸数を算出し、その呼吸数を表示部５１に表示させる。
【００７３】
これによりマスク５０は、表示部５１を確認させることにより、使用者１００の呼吸の有無を外部の人に容易に確認させることができる。
【００７４】
〔７．他の実施の形態〕
［７−１．他の実施の形態１］
上述した実施の形態においては、酸素供給チューブ４及びリザーバー５が設けられているようにした場合について述べたが、本発明はこれに限らず、酸素供給チューブ４及びリザーバー５が設けられていない場合に適応してもよい。
【００７５】
［７−２．他の実施の形態２］
上述した実施の形態においては、吸気孔を通過して流入する酸素をそのまま内部空間内に流入させるようにした場合について述べたが、本発明はこれに限らず、吸気孔を通過して流入する酸素を拡散させてから内部空間内に流入させるようにしてもよい。
【００７６】
具体例を図１４に示すように、マスク６０は、第２の実施の形態におけるマスク１０に対して内部空間２Ａ内における吸気孔２Ｂの近傍に拡散板６１が設けられる。拡散板６１は、吸気孔２Ｂを介して流入する酸素を内部空間２Ａで拡散させる。
【００７７】
ところで、酸素供給装置から酸素が供給されるマスクにおいては、使用者の呼吸の有無にかかわらず一定流量の酸素が常に供給されるため、酸素供給チューブ４を介して供給される酸素の内部空間内における流路によっては使用者が呼吸していないにもかかわらず羽根車を回転させてしまう可能性がある。
【００７８】
そこでマスク６０は、拡散板６１で吸気孔２Ｂを介して流入する酸素を内部空間２Ａで拡散させることで、使用者１００が呼吸していないにもかかわらず、酸素供給チューブ４を介して供給される酸素によっては羽根車１１を回転させてしまうことを防止することができる。
【００７９】
［７−３．他の実施の形態３］
上述した実施の形態においては、内部空間内に羽根車をそのまま配するようにした場合について述べたが、本発明はこれに限らず、内部空間内に羽根車を覆うような覆部を設けるようにしてもよい。
【００８０】
一例として図１５に示すように、マスク７０は、第１の実施の形態におけるマスク１に対して、内部空間２Ａ内に羽根車１１及び排気孔２Ｃを覆う覆部７１が設けられる。覆部７１は、排気孔２Ｃと使用者１００の口とを結ぶ呼気の流路上に孔７１Ａが設けられ、排気孔２Ｃと使用者１００の鼻とを結ぶ呼気の流路上に孔７１Ｂが設けられ、排気孔２Ｃからの直線上に羽根車１１が配されないような位置に孔７１Ｃが設けられる。
【００８１】
従ってマスク７０では、使用者１００の口からの呼気が孔７１Ａを通過して羽根車１１を回転させて排気孔２Ｃから外部に抜け、使用者１００の鼻からの呼気が孔７１Ｂを通過して羽根車１１を回転させて排気孔２Ｃから外部に抜ける。一方、マスク７０では、使用者１００の呼吸の有無に関わらず酸素供給チューブ４を介して供給される酸素が孔７１Ｃを介して羽根車１１を回転させることなく排気孔２Ｃから外部に抜ける。
【００８２】
これによりマスク７０は、使用者１００が呼吸していないにもかかわらず、酸素供給チューブ４を介して供給される酸素によっては羽根車１１を回転させてしまうことを防止することができる。
【００８３】
［７−４．他の実施の形態４］
上述した第５の実施の形態においては、ＣＰＵ４３が、センサー４２から供給される羽根１１Ａが通過することにより変化する信号を受信している場合にはＬＥＤ４３を点滅させ、センサー４２から信号を受信していない場合にはＬＥＤ４３を消灯させるようにした場合について述べた。
【００８４】
本発明はこれに限らず、マスク４０のＣＰＵ４３は、センサー４２から供給される羽根１１Ａが通過することにより変化する信号を受信して演算することにより例えば１分当たりの呼吸数を算出し、算出された呼吸数が正常な呼吸数とされる範囲（例えば、１５回〜２０回）である場合にはＬＥＤ４３を緑色に点灯させる。またＣＰＵ４４は、算出された呼吸数が正常な範囲を外れた所定の範囲（例えば、１０回〜１４回、２１回〜２８回）である場合にはＬＥＤ４３を黄色に点灯させる。またＣＰＵ４４は、算出された呼吸数が危険とされる範囲（例えば、９回以下、２９回以上）である場合にはＬＥＤ４３を赤色に点灯させる。
【００８５】
これにより、マスク４０は、ＬＥＤ４３の色を確認させることで詳細な使用者１００の呼吸状態を容易に確認させることができる。
【００８６】
またＣＰＵ４３は、センサー４２から供給される羽根１１Ａが通過することにより変化する信号を受信して演算することにより例えば１分当たりの呼吸数を算出し、算出された呼吸数が正常な呼吸数とされる範囲（例えば、１５回〜２０回）である場合にはＬＥＤ４３を緑色に点灯させる。またＣＰＵ４４は、算出された呼吸数が正常な範囲を外れた呼吸数が多い所定の範囲（例えば、２１回〜２８回）である場合にはＬＥＤ４３を青色に点灯させる。またＣＰＵ４４は、算出された呼吸数が多く危険とされる範囲（例えば、２９回以上）である場合にはＬＥＤ４３を紫色に点灯させる。
【００８７】
一方、ＣＰＵ４３は、またＣＰＵ４４は、算出された呼吸数が正常な範囲を外れた呼吸数が少ない所定の範囲（例えば、１０回〜１５回）である場合にはＬＥＤ４３をオレンジ色に点灯させる。またＣＰＵ４４は、算出された呼吸数が少なく危険とされる範囲（例えば、９回以下）である場合にはＬＥＤ４３を赤色に点灯させる。
【００８８】
これにより、マスク４０は、ＬＥＤ４３の色を確認させることでより詳細な使用者１００の呼吸状態を容易に確認させることができる。
【００８９】
なおマスク４０はスピーカが設けられ、演算回路４１は算出された呼吸数が正常な範囲外であった場合にスピーカから警告音を出させるようにしてもよい。
【００９０】
［７−５．他の実施の形態５］
上述した第５の実施の形態においては、ＣＰＵ４３が、センサー４２から供給される羽根１１Ａが通過することにより変化する信号を受信している場合にはＬＥＤ４３を点滅させ、センサー４２から信号を受信していない場合にはＬＥＤ４３を消灯させるようにした場合について述べた。
【００９１】
本発明はこれに限らず、ＣＰＵ４３が、センサー４２から供給される羽根１１Ａが通過することにより変化する信号を受信し、信号が供給されている場合には呼気中であることを示すためにＬＥＤ４３を点灯させ、センサー４２から信号を受信していない場合には吸気中であることを示すためにＬＥＤ４３を消灯させるようにしてもよい。
【産業上の利用可能性】
【００９２】
本発明のマスクは、医療用に用いることができる。
【符号の説明】
【００９３】
１……マスク、２……本体部、３……固定用ヒモ、４……酸素供給用チューブ、５……リザーバー、６……羽根車、７……支持軸。
【図１】
2014018404.tif 000003
【図２】
2014018404.tif 000004
【図３】
2014018404.tif 000005
【図４】
2014018404.tif 000006
【図５】
2014018404.tif 000007
【図６】
2014018404.tif 000008
【図７】
2014018404.tif 000009
【図８】
2014018404.tif 000010
【図９】
2014018404.tif 000011
【図１０】
2014018404.tif 000012
【図１１】
2014018404.tif 000013
【図１２】
2014018404.tif 000014
【図１３】
2014018404.tif 000015
【図１４】
2014018404.tif 000016
【図１５】
2014018404.tif 000017